(57)【特許請求の範囲】
【請求項１】
断熱構造の商品収納庫を有する本体キャビネットの前面開口を覆う断熱構造の内扉に配設されるとともに前記商品収納庫と外扉に設けられた商品取出口とを連携する商品搬出口を有する商品搬出口枠に開閉自在に軸支され、常時は自重により前記商品搬出口を閉塞して庫内の冷気若しくは暖気が漏出するのを抑止する一方、前記商品収納庫から払い出された商品により押し開かれる商品搬出口扉を備え、当該商品搬出口扉は縦断面が商品取出口側に膨出する態様で上下に跨って湾曲した湾曲面を形成してなる自動販売機において、
前記商品搬出口扉は、縦断面が商品取出口側に膨出する態様で湾曲した湾曲面を下方寄りに配設する一方、当該湾曲面に連続する上方寄りの部位を平板面とし、当該平板面から湾曲面の頂上までの板厚を有する断熱材を前記平板面に貼着してなることを特徴とする自動販売機。
【請求項２】
請求項１に記載の自動販売機において、断熱材は硬質ウレタンフォームからなることを特徴とする自動販売機。
【請求項３】
請求項１に記載の自動販売機において、湾曲面と断熱材とを覆う態様で薄肉の断熱カバーを貼着してなることを特徴とする自動販売機。
【発明の詳細な説明】
【技術分野】
【０００１】
この発明は、断熱構造の商品収納庫を有する本体キャビネットの前面開口を覆う断熱構造の内扉に配設されるとともに前記商品収納庫と外扉に設けられた商品取出口とを連携する商品搬出口を有する商品搬出口枠に開閉自在に軸支され、常時は自重により前記商品搬出口を閉塞して庫内の冷気若しくは暖気が漏出するのを抑止する一方、前記商品収納庫から払い出された商品により押し開かれる商品搬出口扉を備えた自動販売機に係り、特に常時は自重により前記商品搬出口を閉塞して庫内の冷気若しくは暖気が漏出するのを抑止する機能を維持しつつ、前記商品搬出口扉を熱伝達経路として商品収納庫の庫内側と庫外側との間で出入りする熱損失を抑制するようにした自動販売機に関する。
【背景技術】
【０００２】
清涼飲料などを販売する飲料自動販売機は、前面が開放した断熱構造の商品収納庫を有する本体キャビネットと、本体キャビネットの前面にヒンジにより開閉可能に支持された外扉と、本体キャビネットの前面開口を覆う断熱構造の内扉からなる。断熱筐体として形成された本体キャビネットの庫内は断熱仕切壁により左右方向に複数の商品収納室に区画され、各商品収納室には商品を横倒し状態で収納するとともに下端部に商品搬出装置を有する商品ラックが収設されるとともに、前記商品ラックの下部には商品搬出装置により払い出された商品が滑動ないしは転動する前傾姿勢の商品搬出シュータが配設され、当該商品搬出シュータの下部であって各商品収納室の下端には、当該各商品収納室を冷却もしくは加熱して商品ラックに収納した商品をコールド・ホット状態に保存する冷却／加熱ユニットが配設されている。前記冷却／加熱ユニットには庫内ファンが配設され、冷却／加熱ユニットにより冷却／加熱された冷気／暖気が庫内底部から前方に吹き出された後、後述する内扉により上方に方向転換して商品収納室を通風したうえで庫内背面に配設された吸込みダクトを介して冷却／加熱ユニットに戻るように循環送風される。
【０００３】
前記外扉の前面の上部域は商品見本を展示する透明板で覆われたディスプレイ室として形成され、前記透明板の前面には商品選択ボタンユニットが設けられ、商品選択ボタンユニットには展示された商品見本に対応して設けられた商品選択ボタンを有している。前記外扉の前面中段には硬貨投入口、紙幣挿入口、返却レバー、ハンドルロックなどが設けられ、外扉の下部域には商品取出口、硬貨返却口などが設けられている。
【０００４】
前記内扉には本体キャビネットの商品収納庫と外扉の商品取出口とを連携する商品搬出口を有する商品搬出口枠が設けられている。前記商品搬出口枠には上端を軸支された垂下式の商品搬出口扉が配設されている。この商品搬出口扉は、常時は自重により前記商品搬出口を閉塞して庫内の冷気若しくは暖気が漏出するのを抑止する一方、前記商品収納庫から払い出された商品により押し開かれて当該商品を商品取出口に送出する。
【０００５】
この種の従来装置の商品搬出口扉を図５に示し、図において、１００は前面が開放した断熱構造の商品収納庫を有する本体キャビネット（不図示）の前面にヒンジにより開閉可能に支持された外扉であり、この外扉１００には背面側が開口した箱形の商品取出口枠１０１に形成された商品取出口１０２を備えている。前記商品取出口枠１０１には商品取出口１０２を覆う透明な取出口扉１０３が軸１０３ａを支点として揺動自在に軸支されている。２００は本体キャビネットの前面開口を覆う断熱構造の内扉であり、本体キャビネットの商品収納庫と外扉１００の商品取出口１０２とを連携する商品搬出口４００を有する額縁状の商品搬出口枠３００を備えている。前記商品搬出口枠３００には垂下式の商品搬出口扉５００が配設されている。前記商品搬出口扉５００は商品搬出口４００を覆う矩形状の合成樹脂になり、上部の左右両端から外方に突出する軸部５０１が商品取出口枠３００に軸支されている。また、前記商品搬出口扉５００は、縦断面が商品取出口１０２側に膨出する態様で上下に跨って湾曲した湾曲面５０２を備え、その重心位置が軸部５０１を通る鉛直線よりも商品取出口１０２側に寄せて当該商品搬出口扉５００に商品取出口枠３００の額縁状の内縁に当接する方向のモーメントが生じるように形成されている（例えば、特許文献１）。なお、１０４は商品搬出口扉５００の回動範囲を規制するストッパである。
【０００６】
かかる構成の自動販売機は、本体キャビネットにおける庫内の商品収納室に配設された冷却／加熱ユニットを運転制御して商品収納ラックに収納した商品を販売適温に冷却／加熱される。この場合、冷却／加熱ユニットに設けた庫内ファンにより前方に吹き出された循環空気流が商品搬出口扉５００の扉板面に突き当たって方向転換する際、当該商品搬出口扉５００を押し開くように作用する。しかしながら、商品搬出口扉５００はその重心位置が軸部５０１を通る鉛直線よりも商品取出口１０２側に位置するように商品取出口１０２側に膨出する湾曲面５０２を備えているので、前記庫内ファンにより送風される循環空気流により押し開かれて循環空気流が漏出することはない。そして、商品収納ラックから払い出された商品により商品搬出口扉５００は押し開かれて当該商品を商品取出口１０２に送出したうえで自重により復帰して商品搬出口４００を閉塞する。
【先行技術文献】
【特許文献】
【０００７】
【特許文献１】特許第３２０３１３４号公報
【発明の開示】
【発明が解決しようとする課題】
【０００８】
ところで、断熱構造の内扉により閉塞された商品収納庫の庫内と庫外とは温度差があり、商品搬出口扉５００を熱伝達経路として熱が庫内と庫外との間で出入りする。しかも、庫内ファンによって前方に吹き出されて商品搬出口扉５００の扉面に突き当たって上方に方向転換する循環空気流は、冷却／加熱ユニットで冷却／加熱された直後の空気であるため商品収納庫の庫内と庫外との温度差が最も大きくなる部位であり、商品搬出口扉５００を熱伝達経路として庫内と庫外との間で出入りする熱量も無視できない。ところが、商品搬出口扉５００は商品の搬出動作を阻害しないように軽量，薄肉のフラッパーとして形成されていることから、断熱性が低く、商品搬出口扉５００の扉板を通じて庫内と庫外との間に出入りする熱量も多くなり、その分、冷却／加熱ユニットの熱負荷が増大して自動販売機のランニングコストが嵩むようになる。
【０００９】
そこで、商品搬出口扉５００の扉板における外表面に断熱材を貼着して熱貫流を抑制することも知られている。しかしながら、従来の商品搬出口扉５００は庫内ファンにより送風される循環空気流により押し開かれて循環空気流が漏出することがないように、重心位置が軸部５０１を通る鉛直線よりも商品取出口１０２側に位置させるために商品搬出口扉５００における扉板の全域に亘って商品取出口１０２側に膨出するように弧状の湾曲面５０２が形成されている。このため、商品搬出口扉５００における湾曲面５０２に断熱材を貼着すると、ストッパ１０４に規制される商品搬出口扉５００の回動範囲、つまり、図５に示した商品送出口幅Ｌが短くなって制限され、断熱材の板厚を厚くするほど商品送出口幅Ｌが狭くなるので商品の送出に支障を来たすおそれがある。この場合、外扉１００の奥行き寸法を大きくすれば所定寸法の商品送出口幅Ｌを得ることができるが、薄型が要求される自動販売機にあっては外扉の奥行き寸法を大きくすることができない。したがって、外扉の奥行き寸法を変更することなく商品搬出口扉５００の外面に貼着される断熱材の板厚を厚くして断熱性能の向上を図るには制約がある。
【００１０】
本発明は上記の点に鑑みなされたものであり、その目的は前記課題を解決し、外扉の奥行き寸法を変更することなく、商品搬出口扉の断熱性能の向上を図ることが可能な自動販売機を提供することにある。
【課題を解決するための手段】
【００１１】
上記目的を達成するために請求項１にかかる発明は、断熱構造の商品収納庫を有する本体キャビネットの前面開口を覆う断熱構造の内扉に配設されるとともに前記商品収納庫と外扉に設けられた商品取出口とを連携する商品搬出口を有する商品搬出口枠に開閉自在に軸支され、常時は自重により前記商品搬出口を閉塞して庫内の冷気若しくは暖気が漏出するのを抑止する一方、前記商品収納庫から払い出された商品により押し開かれる商品搬出口扉を備え、当該商品搬出口扉は縦断面が商品取出口側に膨出する態様で上下に跨って湾曲した湾曲面を形成してなる自動販売機において、前記商品搬出口扉は、縦断面が商品取出口側に膨出する態様で湾曲した湾曲面を下方寄りに配設する一方、当該湾曲面に連続する上方寄りの部位を平板面とし、当該平板面から湾曲面の頂上までの板厚を有する断熱材を前記平板面に貼着してなることを特徴とする。
【００１３】
また、請求項２に係る発明は、請求項１に記載の自動販売機において、断熱材は硬質ウレタンフォームからなることを特徴とする。
【００１４】
また、請求項３に係る発明は、請求項１に記載の自動販売機において、湾曲面と断熱材とを覆う態様で薄肉の断熱カバーを貼着してなることを特徴とする。
【発明の効果】
【００１５】
本発明の請求項１に係る自動販売機によれば、断熱構造の商品収納庫を有する本体キャビネットの前面開口を覆う断熱構造の内扉に配設されるとともに前記商品収納庫と外扉に設けられた商品取出口とを連携する商品搬出口を有する商品搬出口枠に開閉自在に軸支され、常時は自重により前記商品搬出口を閉塞して庫内の冷気若しくは暖気が漏出するのを抑止する一方、前記商品収納庫から払い出された商品により押し開かれる商品搬出口扉を備え、当該商品搬出口扉は縦断面が商品取出口側に膨出する態様で上下に跨って湾曲した湾曲面を形成してなる自動販売機において、前記商品搬出口扉は、縦断面が商品取出口側に膨出する態様で湾曲した湾曲面を下方寄りに配設する一方、当該湾曲面に連続する上方寄りの部位を平板面とし、当該平板面から湾曲面の頂上までの板厚を有する断熱材を前記平板面に貼着してなることにより、商品搬出口扉における庫内と庫外の熱貫流の要因となる湾曲面の領域を小さくすることができるとともに湾曲面に連続する上方寄りの部位には少なくとも取り除かれた湾曲面の容積に相当する断熱材を配設することができるので、商品搬出口扉の断熱性能を向上することができる。しかも、取り除かれた湾曲面が商品搬出口扉の重点を商品取出口側に寄せて商品取出口枠の内縁に当接する方向のモーメントに寄与していた分を断熱材が補うことにより商品搬出口扉が商品搬出口を閉塞する機能を損なうことはないものである。また、商品搬出口扉の回動範囲を妨げることのない範囲で断熱材の板厚を厚くすることにより断熱性能の更なる向上を図ることができる。
【００１７】
また、本発明の請求項２に係る自動販売機によれば、請求項１に記載の自動販売機において、断熱材は硬質ウレタンフォームからなることにより、商品搬出口扉が商品の搬出動作を阻害しないように軽量であることを維持しつつ板厚を厚くすることができるという利点を有する。
【００１８】
また、本発明の請求項３に係る自動販売機によれば、請求項１に記載の自動販売機において、湾曲面と断熱材とを覆う態様で薄肉の断熱カバーを貼着してなることにより、商品搬出口扉が商品取出口構成部材（例えば、商品搬出口扉の回動範囲を規制するストッパ若しくは防盗板）に衝突した際の衝撃音を吸収することができるとともに商品搬出口扉の断熱性能の一層向上を図ることができる。
【図面の簡単な説明】
【００１９】
【図１】本発明の実施の形態にかかる自動販売機の正面図である。
【図２】図１の自動販売機の外扉開放状態の斜視図である。
【図３】商品搬出口枠の分解斜視図である。
【図４】図１の自動販売機における内扉に配設された商品取出口扉を示し、（ａ）はその分解斜視図、（ｂ）は商品取出口扉の側面図である。
【図５】従来装置を示す商品搬出口扉の概略説明図である。
【発明を実施するための形態】
【００２０】
以下、本発明の実施の形態を図面に基づいて詳細に説明する。
図１および図２に示すように、この自動販売機は、前面が開放した断熱構造の商品収納庫を有する本体キャビネット１と、本体キャビネット１の前面にヒンジにより開閉可能に支持された外扉２と、本体キャビネット１における商品収納庫の前面開口を覆う断熱構造の内扉３とを備えてなる。前記本体キャビネット１の断熱構造の商品収納庫内は断熱仕切壁により左右方向に複数の商品収納室に区画され、各商品収納室には商品を横倒し状態で収納するとともに下端部に商品搬出装置を有する商品ラックが収設されるとともに、前記商品ラックの下部には商品搬出装置により払い出された商品が滑動ないしは転動する前傾姿勢の商品搬出シュータが配設され、当該商品搬出シュータの下部であって各商品収納室の下端には、当該各商品収納室を冷却もしくは加熱して商品ラックに収納した商品をコールド・ホット状態に保存する冷却／加熱ユニットが配設されている。この冷却／加熱ユニットには庫内空気を循環させる庫内ファンが備えられている。
【００２１】
前記外扉２の前面の上部域は透明板４で覆われ、この透明板４と外扉２に開閉可能に支持された中扉５との間の空間がディスプレイ室６として形成されている。前記中扉５の前面には、本体キャビネット１の庫内に収納した商品に対応した複数の商品見本８を左右に一列に並べて載置したディスプレイ台７が上下方向に３段並べて取付けられている。前記透明板４には、各ディスプレイ台７と対峙する位置に商品選択ボタンユニット９が設けられ、商品選択ボタンユニット９は、ディスプレイ台７に載置された各商品見本８に対応して左右に一列に並べて設けた商品選択ボタン９ａを有している。また、外扉２の前面には、硬貨投入口２１、紙幣挿入口２２、返却レバー２３、表示器２４、硬貨返却口２５、商品取出口２６、ハンドルロック２７などが設けられ、外扉２の背面には硬貨識別装置２８、紙幣識別装置２９などが設けられている。
【００２２】
前記内扉３は、図２に示すように、上部内扉３１と下部内扉３２とに上下に分割されてなる。前記上部内扉３１は商品収納庫内に区画された商品収納室の商品ラックへの商品投入口が位置する商品収納庫の上部領域を覆う態様で配設されるとともに外扉２にヒンジにより開閉自在に軸支され、常時は外扉２に係止されて外扉２とともに開閉して商品補充のために外扉２を開放に伴って上部内扉３１も開放して商品投入口が露出するように構成されている。前記下部内扉３２は商品収納庫の下部領域を覆う態様で本体キャビネット１にヒンジにより開閉自在に軸支され、商品収納庫内のメンテナンスの際に開放されるように構成されている。
【００２３】
前記下部内扉３２の下方には、前記商品収納庫内に区画された商品収納室に対応して商品搬出口枠１０が、この実施の形態では３個設けられている。前記商品搬出口枠１０は、図３に示すように、各商品収納室の下部に配設された商品搬出シュータと外扉２の商品取出口２６とを連携する商品搬出口１１を有する額縁状に形成されている。この商品搬出口枠１０には本発明に係る垂下式の商品搬出口扉１２が配設されている。前記商品搬出口扉１２は商品搬出口１１を覆う態様で商品搬出口枠１０に軸支され、常時は自重により前記商品搬出口１１を閉塞して庫内の冷気若しくは暖気が漏出するのを抑止する一方、前記商品収納室における商品ラックの商品搬出装置から払い出された商品に押し開かれるように、次のとおりに構成されている。
【００２４】
すなわち、前記商品搬出口扉１２は、図４に示すように、前記商品搬出口１１を覆う矩形状の合成樹脂になり、上部の左右両端から外方に突出する前記商品取出口枠１０に軸支される軸部１２１が形成さている。前記商品搬出口扉１２の下方寄りには、縦断面が商品取出口２６側に膨出する態様で湾曲した湾曲面１２２が形成され、この湾曲面１２２に連続する上方寄りの部位が平板面１２３として形成されている。つまり、図５に示した従来の商品搬出口扉５００の湾曲面５０２が上下に跨る態様で商品搬出口扉５００の扉板の全域に形成されているのに対し、この実施の形態の商品搬出口扉１２の湾曲面１２２は商品搬出口扉１２の下方に寄せて形成され、従来の商品搬出口扉５００の上方の部位の湾曲面５０２を取り除いた構成である。前記平板面１２３の湾曲面１２２側を除く周縁には、後述する断熱材１３の外郭となるフランジ１２４が設けられている。
【００２５】
前記商品搬出口扉１２におけるフランジ１２４で囲まれた平板面１２３には断熱材１３が両面テープなどにより貼着されている。前記断熱材１３は、硬質のポリウレタンフォームからなり、三方のフランジ１２４と湾曲面１２２に沿った外郭を有する矩形状に形成されている。この断熱材１３の板厚は平板面１２３から湾曲面１２２の頂部までの寸法とすることができ、比較的厚く形成することができる。また、前記商品搬出口扉１２の外表面には発泡ポリエチエンからなるクッション１４が貼着されている。このクッション１４は湾曲面１２２の外表面、断熱材１３の外表面、左右のフランジ１２４の周囲を覆う態様で両面テープなどにより貼着される。前記クッション１４は商品搬出口扉１２が商品により押し開かれて回動して商品取出口２６の構成部材、例えば、図５に示したストッパ１０４、或いは商品取出口２６内に吊り下げ支持された防盗板に衝突した際の衝撃音を吸収するとともに商品搬出口扉１２の熱貫流を抑制して断熱性能の向上に寄与するものである。このクッション１４が断熱カバーを構成する。
【００２６】
前記商品搬出口扉１２においては、図５に示した従来の商品搬出口扉５００の湾曲面５０２が上下に跨る態様で商品搬出口扉５００の扉板の全域に形成されているのに対し、商品搬出口扉１２の下方に寄せて湾曲面１２２が形成され、従来の商品搬出口扉５００における上方の部位の湾曲面５０２を取り除いた構成であることから、取り除かれた湾曲面５０２の分だけ商品搬出口扉１２を商品取出口枠１０の内縁に当接させるモーメントが不足する。しかしながら、前記不足分は取り除かれた湾曲面５０２の跡に貼着される断熱材１３によって補われる。したがって、冷却／加熱ユニットに設けた庫内ファンにより送風される循環空気流により商品搬出口扉１２が押し開かれることはないものであり、循環空気流が漏出することはない。また、従来の商品搬出口扉５００における取り除かれた湾曲面５０２の跡を断熱材１３の配設場所とすることにより商品搬出口扉１２の回動範囲、つまり、図５に示した商品送出口幅Ｌが制限されることがないので商品の送出に支障を来たすおそれもない。そして、商品搬出口扉１２の下方寄りに、縦断面が商品取出口２６側に膨出する態様で湾曲した湾曲面１２２２が形成されているので、商品搬出口扉１２における庫内と庫外の熱貫流の要因となる湾曲面１２２を小さくすることができ、さらに、湾曲面１２２に連続する上方寄りの平板面１２３には少なくとも取り除かれた湾曲面の容積に相当する断熱材１３を配設することができるので、商品搬出口扉の断熱性能を向上することができる。
【００２７】
前述したように、この実施の形態にかかる自動販売機においては、断熱構造の商品収納庫を有する本体キャビネット１の前面開口を覆う断熱構造の内扉３に配設されるとともに前記商品収納庫と外扉２に設けられた商品取出口２６とを連携する商品搬出口１１を有する商品搬出口枠１０に開閉自在に軸支され、常時は自重により前記商品搬出口１１を閉塞して庫内の冷気若しくは暖気が漏出するのを抑止する一方、前記商品収納庫から払い出された商品により押し開かれる商品搬出口扉１２を備え、当該商品搬出口扉１２は縦断面が商品取出口２６側に膨出する態様で上下に跨って湾曲した湾曲面（図５の湾曲面５０２）を形成してなる自動販売機において、前記商品搬出口扉１２は、縦断面が商品取出口２６側に膨出する態様で湾曲した湾曲面１２２を下方寄りに配設する一方、当該湾曲面１２２に連続する上方寄りの部位であって湾曲面５０２が取り除かれた跡を断熱材１３の配設場所としたことにより、商品搬出口扉１２における庫内と庫外の熱貫流の要因となる湾曲面１２２の領域を小さくすることができるとともに湾曲面１２２に連続する上方寄りの部位（平板面１２３）には少なくとも取り除かれた湾曲面５０２の容積に相当する断熱材１３を配設することができるので、商品搬出口扉１２の断熱性能を向上することができる。しかも、取り除かれた湾曲面５０２が商品搬出口扉１２の重点を商品取出口側に寄せて商品取出口枠の内縁に当接する方向のモーメントに寄与していた分を断熱材１３が補うことにより商品搬出口扉１２が商品搬出口１１を閉塞する機能を損なうことはないという利点を有する。
【００２８】
なお、上記実施の形態においては、商品搬出口扉１２の湾曲面１２２として弧状のものを示したが、要するに商品搬出口扉１２の重心を商品取出口２６側に寄せるためのものであればよく、また、湾曲面１２２と平板面２３とが商品搬出口扉１２を上下に略二分するように設けたものを示したが、商品搬出口扉１２の下方領域に湾曲面が形成され、商品搬出口扉１２の残りの領域に平板面（断熱材）が形成されておればよいものである。したがって、本発明は実施の形態に限定されるものではない。
【符号の説明】
【００２９】
１…本体キャビネット、２…外扉、３…内扉、１０…商品搬出口枠、１１…商品搬出口、１２…商品搬出口扉、１３…断熱材、１４…クッション、２６…商品取出口、１２１…軸部、１２２…湾曲面、１２３…平板面、１２４…フランジ。
【図１】
0005995063.tif 000002
【図２】
0005995063.tif 000003
【図３】
0005995063.tif 000004
【図４】
0005995063.tif 000005
【図５】
0005995063.tif 000006